(57)【特許請求の範囲】
【請求項１】
起床式ベッドの基体の上面に、上記基体に固定された固定床部、この固定床部の一側に回動可能に連結されて起伏駆動される背床部と腰床部、及び他側に回動可能に連結されて起伏駆動される第１の脚床部と第２の脚床部に分割された床板が設けられ、この床板の上面に載置されるマットレス装置において、
複数のスプリング部が矩形状に配置されるとともに長手方向において隣り合うスプリング部の上下端面を幅方向にヘリカル線で連結したスプリングユニットと、
このスプリングユニットの下面の上記背床部と腰床部の連結部分、上記腰床部と固定床部の連結部分、上記固定床部と第１の脚床部の連結部分及び上記スプリングユニットの上面の上記第１の脚床部と第２の脚床部の連結部分に対応する部分の上記ヘリカル線による隣り合うスプリングの下端面の連結を除去して形成された上記スプリングユニットを折り曲げ可能とする第１乃至第４の柔軟部と、
第１乃至第４の柔軟部を境として分けられた複数の部分のスプリング部の下端面及び上端面がなすそれぞれの領域の周縁部に沿って設けられた複数の下部枠線及び上部枠線と、
上記スプリングユニットの上下面のうち少なくとも上面に積層されるクッション材と、
このクッション材と上記スプリングユニットとの積層体を被覆した外装体と
を具備したことを特徴とするマットレス装置。
【請求項２】
上記複数の柔軟部には、この柔軟部によって分けられたスプリング部がぶつかるのを阻止する緩衝シートが設けられていることを特徴とする請求項１記載のマットレス装置。
【請求項３】
上記スプリングユニットの下面には下部クッション材が設けられ、この下部クッション材は上記柔軟部によって分けられた領域に対応する大きさに分断されていることを特徴とする請求項１記載のマットレス装置。
【請求項４】
上記外装体は、少なくとも上記スプリングユニットの長手方向と幅方向のうち、少なくとも長手方向に沿って伸縮可能な構成であることを特徴とする請求項１記載のマットレス装置。
【発明の詳細な説明】
【０００１】
【発明の属する技術分野】
この発明は背上げ式のベッドに好適するマットレス装置に関する。
【０００２】
【従来の技術】
一般に、マットレス装置はスプリングを矩形状に配置してスプリングユニットを形成し、このスプリングユニットの上下面の少なくとも上面にシート状のクッション材を積層し、この積層体を袋状に形成された外装体によって被覆して構成されている。
【０００３】
上記スプリングユニットの周縁部は、中央部分に比べて柔らかいので、その部分を補強したり、マットレス装置の外形状を維持するなどのために、上記スプリングユニットの上下面の周縁部に硬い線材によって形成された枠線を設けるようにしている。
【０００４】
上記構成のマットレス装置はベッドの床板上に載置して用いられる。ベッドには病人や老人などのように自力で起き上がることが困難な人が利用する、起床式ベッドがある。
【０００５】
起床式ベッドは、床板が複数の床部に分割され、長手方向ほぼ中央の床部がベッドの基体に固定され、他の床部が基体に固定された上記床部の両側に順次回動可能に連結されている。
【０００６】
回動可能に設けられた各床部は駆動装置によって起伏駆動される。それによって、マットレス上に仰臥した利用者は、起伏駆動される床板を介して上半身が起こされたり、脚部が屈曲されることになる。
【０００７】
このような起床式ベッドに用いられるマットレス装置は、各床部の起伏に応じて屈曲可能な構成でなければならない。しかしながら、スプリングユニットは、隣り合うスプリングの上下端面がそれぞれヘリカル線によって連結されている。そのため、マットレス装置を屈曲させる際、上記ヘリカル線がスプリングユニットの屈曲を阻止するため、マットレス装置を円滑に屈曲させることができないということがあった。
【０００８】
さらに、上述したようにスプリングユニットの上下面の周縁部には枠線が全長にわたって設けられている。そのため、上記枠線もスプリングユニットが床部の起伏に応じて円滑に屈曲するのを阻止する要因になっていた。
【０００９】
そこで、本件出願人は、実用新案登録第２５６８８８６号公報に示されるマットレス装置を提案した。この公報に示されるマットレス装置は、複数の連続ばね体を並設してスプリングユニットを形成し、このスプリングユニットの折り曲げられる部分に位置する連続ばね体のスプリング部としてのコイル部をスプリングユニットの幅方向に沿って連結したヘリカル線を除去する。それによって、マットレス装置をヘリカル線による連結を除去した個所から円滑に折り曲げることができるようにしている。
【００１０】
【発明が解決しようとする課題】
しかしながら、スプリングユニットの屈曲させる部分からヘリカル線を除去すると、その除去された部分のコイル部がばらばらになるため、スプリングユニットを屈曲させないときの安定性が損なわれたり、屈曲を繰り返すうちに隣り合うコイル部が絡み合ってしまい、そのことによってもスプリングユニットの安定した性能が損なわれるということがあった。
【００１１】
一方、この公報に示されたマットレス装置は、スプリングユニットの外周部分に側部弾性材を発泡成形して一体的に設け、この側部弾性材によってスプリングユニットの周辺部を補強するようにしているため、スプリングユニットの周縁部に枠線を設けるということが示されていない。
【００１２】
そのため、枠線を用いたスプリングユニットの場合、枠線によるスプリングユニットの性能を維持しつつ、スプリングユニットの屈曲可能な柔軟性をどのようにして確保するかが課題となる。
【００１３】
この発明は、枠線を用いたスプリングユニットにおいて、ヘリカル線によるスプリングの連結を解除しても、各スプリングがばらつくことがなく、しかも枠線によりスプリングユニットの円滑な屈曲を阻止することがないようにしたマットレス装置を提供することにある。
【００１４】
【課題を解決するための手段】
請求項１の発明は、起床式ベッドの基体の上面に、上記基体に固定された固定床部、この固定床部の一側に回動可能に連結されて起伏駆動される背床部と腰床部、及び他側に回動可能に連結されて起伏駆動される第１の脚床部と第２の脚床部に分割された床板が設けられ、この床板の上面に載置されるマットレス装置において、
複数のスプリング部が矩形状に配置されるとともに長手方向において隣り合うスプリング部の上下端面を幅方向にヘリカル線で連結したスプリングユニットと、
このスプリングユニットの下面の上記背床部と腰床部の連結部分、上記腰床部と固定床部の連結部分、上記固定床部と第１の脚床部の連結部分及び上記スプリングユニットの上面の上記第１の脚床部と第２の脚床部の連結部分に対応する部分の上記ヘリカル線による隣り合うスプリングの下端面の連結を除去して形成された上記スプリングユニットを折り曲げ可能とする第１乃至第４の柔軟部と、
第１乃至第４の柔軟部を境として分けられた複数の部分のスプリング部の下端面及び上端面がなすそれぞれの領域の周縁部に沿って設けられた複数の下部枠線及び上部枠線と、
上記スプリングユニットの上下面のうち少なくとも上面に積層されるクッション材と、
このクッション材と上記スプリングユニットとの積層体を被覆した外装体と
を具備したことを特徴とするマットレス装置にある。
【００１５】
請求項２の発明は、上記複数の柔軟部には、この柔軟部によって分けられたスプリング部がぶつかるのを阻止する緩衝シートが設けられていることを特徴とする請求項１記載のマットレス装置にある。
【００１６】
請求項３の発明は、上記スプリングユニットの下面には下部クッション材が設けられ、この下部クッション材は上記柔軟部によって分けられた領域に対応する大きさに分断されていることを特徴とする請求項１記載のマットレス装置にある。
【００１７】
請求項４の発明は、上記外装体は、少なくとも上記スプリングユニットの長手方向と幅方向のうち、少なくとも長手方向に沿って伸縮可能な構成であることを特徴とする請求項１記載のマットレス装置にある。
【００１８】
この発明によれば、ヘリカル線による連結が除去されたスプリング部がばらつくのを下部枠線によって防止でき、さらに下部枠線が柔軟部に対応して分断され、上部枠線は下部枠線に対応して分断されているから、上下の枠線がスプリングユニットの柔軟性を損なうことなく、このスプリングユニットの周辺部を補強することができる。
【００１９】
【発明の実施の形態】
以下、図面を参照しながらこの発明の一実施の形態を説明する。
【００２０】
図７は起床式ベッド１を示す。この起床式ベッド１は矩形枠状に形成され、長手方向一端にヘッドボード３ａ、他端にフットボード３ｂが設けられた基体２を備えている。この基体２の下面四隅部には基体２を走行可能に支持したストッパつきのキャスタ４が設けられている。
【００２１】
上記基体２の上面には床板５が設けられている。この床板５は、基体２の長手方向に沿って複数、この実施の形態では５つの床部６ａ〜６ｅに分割されている。中央の固定床部６ｃは基体２に固定され、背床部６ａと腰床部６ｂ及び第１の脚床部６ｄと第２の脚床部６ｅは上記固定床部６ｃの一側と他側にそれぞれ回動可能に順次連結されている。
【００２２】
上記基体１の下面の長手方向中央部には背上げ用の駆動装置８が設けられている。この駆動装置９は一対の駆動軸１０を有し、各駆動軸１０は上記基体２に架設された一対の横桟７に一端を連結した各一対のアーム８（一方のみ図示）の他端に回転可能に支持されている。各駆動軸１０には第１のレバー１１と第２のレバー１２とがそれぞれ一端を連結して設けられている。第１のレバー１１の先端には一対のローラ１３が所定の間隔で離間して回転可能に設けられ、第２のレバー１２の先端には１つのローラ１３が回転可能に設けられている。
【００２３】
第１のレバー１１に設けられた一対のローラ１３は背床部６ａの下面に設けられた断面コ字状のレール１４に転動可能に係合し、第２のレバー１２に設けられたローラ１３は第１の脚床部６ｄの下面に転接している。
【００２４】
したがって、駆動装置９によって一対の駆動軸１０が所定方向に回転駆動されると、図７に示すように背床部６ａと腰床部６ｂが第１のレバー１１によって上昇方向に駆動され、第１の脚床部６ｄと第２の脚床部６ｅとが第２のレバー１２によって上昇方向に駆動される。第２の脚床部６ｅは一端を基体２に枢着し、他端を第２の脚床部６ｅに枢着した保持部材１５によって上昇した状態で保持されるようになっている。
【００２５】
上記床板５上にはこの発明のマットレス装置２１が載置される。このマットレス装置２１は図２乃至図４に示すように平面形状が矩形状をなしたスプリングユニット２２を備えている。このスプリングユニット２２は、スプリングユニット２２の幅方向に沿って並設された複数の連続ばね体２３によって上記床板５とほぼ同じ大きさの矩形状に構成されている。
【００２６】
上記連続ばね体２３は図５と図６に示すように、複数のスプリング部としてのコイル部２４及び隣り合うコイル部２４の上端面に連続して設けられた平面形状がコ字状の上部連結杆部２５及び下端面に連続して設けられた下部連結杆部２６が１本の線材によって連続形成されている。
【００２７】
上記上部連結杆部２５と下部連結杆部２６とは連続ばね体２３の長手方向に対してピッチをずらしており、また隣り合うコイル部２４は一部を絡み合わせた結合部２７となっている。
【００２８】
図２と図３に示すように、スプリングユニット２２の幅方向に沿って並設された複数の連続ばね体２３は、スプリングユニット２２の長手方向において隣り合うコイル部２４の上端部と下端部とがヘリカル線２８によって幅方向に沿って連結されている。
【００２９】
上記ヘリカル線２８による隣り合うコイル部２４の連結は、上記スプリングユニット２２の下面の３箇所と、上面の１箇所とで解除されている。つまり、スプリングユニット２２の下面においては、背床部６ａと腰床部６ｂとの連結部分に対応する個所、腰床部６ｂと固定床部６ｃとの連結部分に対応する個所、及び固定床部６ｃと第１の脚床部６ｄとの連結部分に対応する個所で上記ヘリカル線２８によるコイル部２４の連結が除去され、しかもこれらの個所ではスプリングユニット２２の長手方向において隣り合うコイル部２４の絡みも除去され、結合部２７がない状態となっている。
【００３０】
それによって、これらの個所は、スプリングユニット２２を上面側に容易に折り曲げることができる第１乃至第３の柔軟部３１〜３３に形成されている。
【００３１】
さらに、上記ヘリカル線２８による隣り合うコイル部２４の連結は、スプリングユニット２２の上面側の、上記床板５の第１の脚床部６ｄと第２の脚床部６ｅとの連結部分に対応する個所も除去されている。この個所も、スプリングユニット２２の長手方向において隣り合うコイル部２４の絡みが除去され、それによってこの個所ではスプリングユニット２２を下面側に容易に折り曲げることができる第４の柔軟部３４に形成されている。
【００３２】
図２に示すように、スプリングユニット２２の下面の第１乃至第３の柔軟部３１〜３３によって分けられた部分のコイル部２４の下面がなす各領域、つまり背床部６ａ、腰床部６ｂ及び固定床部６ｃに対応する部分の周縁部には、それぞれ矩形状の第１乃至第３の下部枠線３６〜３８が上記スプリングユニット２２に図示しないクリップによって取付け固定されている。
【００３３】
第１の脚床部６ｄに対応する部分は、第２の脚床部６ｅ側の一側が除去されたコ字状の第４の下部枠線３９が取付けられ、第２の脚床部６ｅに対応する部分は第１の脚床部６ｄ側の一側が除去されたコ字状の第５の下部枠線４０が取付けられている。
【００３４】
スプリングユニット２２の上面には、図３に示すように背床部６ａに対応する部分に腰床部６ｂ側の一側が除去されたコ字状の第１の上部枠線４１が取付けられ、腰床部６ｂと固定床部６ｃとの連結部分に対応する個所には幅方向両側だけにそれぞれ直線状の第２の上部枠線４２が取付けられている。
【００３５】
スプリングユニット２２の上面の第１の脚床部６ｄに対応する個所には、固定床部６ｃ側の一側が除去されたコ字状の第３の上部枠線４３が取付けられ、第２の脚床部６ｅに対応する個所には矩形枠状の第４の上部枠線４４が取付けられている。
【００３６】
各下部枠線３６〜４０は、スプリングユニット２２の下面の周縁部を補強してコイル部２４がなす各領域の下面の形状を維持するとともに、第１乃至第３の柔軟部３１〜３３を形成することで、ヘリカル線２８による連結状態が分断された各連続ばね体２３のコイル部２４がばらつくのを阻止し、さらにスプリングユニット２２を第１乃至第３の柔軟部３１〜３３の個所で上方に屈曲させる際、その屈曲の邪魔にならないようになっている。
【００３７】
各上部枠線４１〜４４は、スプリングユニット２２の上面の周縁部を補強してその上面の形状を維持する。スプリングユニット２２の上面に第４の柔軟部３４を形成することで、ヘリカル線２８による連結状態が分断されたコイル部２４は、第３の上部枠線４３と第４の上部枠線４４とによって結合されているから、これらコイル部２４がばらつくのが防止される。
【００３８】
さらに、スプリングユニット２２を第４の柔軟部３４の個所で下方に屈曲させる際、第３の上部枠線４３と第４の上部枠線４４とが屈曲の邪魔になることがない。
【００３９】
上記第１の柔軟部３１のコイル部２４の絡みが解除された個所にはフェルトなどの布地からなる第１の緩衝シート４６がスプリングユニット２２の幅方向全長にわたって設けられ、上記第４の柔軟部３４の個所には同じく第２の緩衝シート４７が幅方向全長にわたって設けられている。これら緩衝シート４６，４７は、スプリングユニット２を折り曲げた際に、各柔軟部３１、３４に位置する絡み合いが除去されたコイル部２４がぶつかり合って騒音を発生するのを阻止している。
【００４０】
なお、この実施の形態では比較的屈曲される度合が小さい第２の柔軟部３２と第３の柔軟部３３の個所には緩衝シートを設けなかったが、これらの個所にも緩衝シートを設けるようにしてもよい。
【００４１】
図４に示すように、上記スプリングユニット２２の下面には、上記床板５の各床部６ａ〜６ｅに対応する大きさに分断された下部クッション材５１ａ〜５１ｅが上記スプリングユニット２２に取付けられている。この下部クッション材にはサイザルや硬綿などの比較的硬い材料が用いられている。
【００４２】
図１に示すように、下部クッション材５１ａ〜５１ｅの下面はニット状の金巾５２によって全体的に覆われている。この金巾５２は、スプリングユニット２２の長手方向に沿って伸縮可能となっている。
【００４３】
スプリングユニット２２の上面にはフェルトなどの保護シート５３を介して低発泡ウレタンなどからなる上部クッション材５４が積層されている。スプリングユニット２２、下部クッション材５１ａ〜５１ｅ及び上部クッション材５４の積層体は外装体５５によって被覆されている。
【００４４】
上記外装体５５は上部クッション材５４を被覆した上鏡地５６、下部クッション材を被覆した下鏡地５７及びスプリングユニット２２の外周面を被覆し上下端部を上記上鏡地５６と下鏡地５７の周縁部にそれぞれ縫合したまち地５８とからなる。
【００４５】
各鏡地５６，５７は裏地６１と表地６２との間にシート状のクッション材６２を設け、これら三者をキルティング６３によって一体化して形成されており、まち地５８は１枚の布地からなる。
【００４６】
各鏡地５６，５７の裏地６１と表地６２とは、それぞれスプリングユニット２２の長手方向と幅方向のうち、長手方向に沿って伸縮性を有する布地が用いられている。それによって、スプリングユニット２２を折り曲げた際、その折曲げに応じて外装体５５は伸縮するようになっている。つまり、外装体５はスプリングユニット２２の折り曲げの邪魔にならないようになっている。
【００４７】
各鏡地５６，５７の裏地６１と表地６２とを縫合したキルティング６４は、これら鏡地５６，５７がスプリングユニット２２の長手方向に沿って伸びるのを阻止しないよう設けられている。
【００４８】
たとえば、上記キルティング６４は、スプリングユニット２２の幅方向に蛇行して設けられ、幅方向の両端部でその蛇行を折り返している。それによって、キルティング６４を形成する糸が裏地６１と表地６２がスプリングユニット２２の長手方向に沿って伸びるのをほとんど阻止することがないようになっている。
【００４９】
なお、上記各鏡地５６，５７はフランジ布６５によってスプリングユニット２２に固定され、下鏡地５７は上記金巾５２を介して上記スプリングユニット２２に固定されている。それによって、外装体５５がスプリングユニット２２に対してずれ動くのを阻止されている。
【００５０】
さらに、スプリングユニット２２の下面の周縁部には、フェルトなどの帯状の保護布６６が全長にわたって設けられている。この保護布６６は外装体５５がスプリングユニット２２の擦られて損傷するのを防止している。
【００５１】
このように構成されたマットレス装置２１によれば、スプリングユニット２２に第１乃至第４の柔軟部３１〜３４を形成し、このスプリングユニット２２を折り曲げ可能としている。そのため、起床式ベッド１の床板５の固定床部６ｃを除く各床部を駆動装置９によって図７に示すように起上させれば、これら床部の起上に応じてマットレス装置２１が円滑に屈曲する。
【００５２】
上記各柔軟部３１〜３４は、スプリングユニット２２の長手方向において隣り合うコイル部２４のヘリカル線２８による連結を除去して形成し、さらに上記各柔軟部３１〜３４により分断された各領域のコイル部２４の下端面及び上端面がなす面の周縁部に沿って第１乃至第５の下部枠線３６〜４０、及び第３、第４の上部枠線４３，４４を設けるようにした。
【００５３】
そのため、柔軟部３１〜３４を形成するために、ヘリカル線２８による連結が除去されたコイル部２４は、第１乃至第４の下部枠線３６〜３９、及び第３、第４の上部枠線４３，４４によってばらばらになることなく、確実に保持されるから、スプリングユニット２２の形状が維持されるばかりか、屈曲を繰り返すうちに隣り合うコイル部が絡み合うなどしてスプリングユニット２２の安定したクッション性能や外形状が損なわれるということもなくなる。
【００５４】
第１乃至第５の下部枠線３６〜４０はスプリングユニット２２の下面の周縁部の全体にわたって設けられ、第１乃至第４の上部枠線４１〜４４はスプリングユニット２２の上面の周縁部のほぼ全体にわたって設けられている。
【００５５】
そのため、スプリングユニット２２は、下部枠線３６〜４０と上部枠線４１〜４４とによって下面と上面との周縁部が補強されることになる。しかも、第１乃至第５の下部枠線３６〜４０は第１乃至第３の柔軟部３１〜３３に対応する個所で分断され、第３の上部枠線４３と第４の上部枠線４４とは第４の柔軟部３４と対応する個所で分断されている。
【００５６】
そのため、スプリングユニット２２の上下面を補強するために設けられた各枠線がスプリングユニット２２を屈曲させる際の抵抗にならないから、床板５の各床部６ａ〜６ｅを起上させたとき、マットレス装置２１を円滑に屈曲させることができる。
【００５７】
第２の上部枠線４２は、腰床部６ｂと固定床部６ｃとの連結部分に対応する個所、つまりスプリングユニット２２の下面に設けられた第２の柔軟部３２に跨る位置に設けられているため、スプリングユニット２２を屈曲させる際に多少の抵抗になる。
【００５８】
しかしながら、第２の上部枠線４２の個所には利用者の身体の最も重い臀部が位置するから、上記上部枠線４２の抵抗によってスプリングユニット２２の利用者の臀部に対応する部分が臀部の重さによって大きく折れ曲がるのを防止することになる。
【００５９】
第１、第３の上部枠線４１，４３はコ字状であり、第２の上部枠線４２はスプリングユニット２２の幅方向両端にだけ設けられている。そのため、マットレス装置２１上に仰臥した利用者は身体の背面に枠線の硬さを感じるようなことがない。
【００６０】
第４の柔軟部３４に位置する第３の上部枠線４３と第４の上部枠線４４とは、その一辺がスプリングユニット２２の上面の幅方向全長にわたって設けられている。そのため、その部分はマットレス装置２１上に仰臥した利用者の脚部に対応位置することになる。
【００６１】
しかしながら、脚部は利用者の身体の最も軽い部分であるため、脚部が上記第３の上部枠線４３と第４の上部枠線４４とに強く押し付けられることがないから、利用者が脚部に不快感を感じるということがほとんどない。とくに、マットレス装置２１を利用する場合にはベッドパッドが敷かれるから、そのことによっても、利用者は第３の上部枠線４３と第４の上部枠線４４との硬さを感じることがほとんどない。
【００６２】
マットレス装置２１のとくに大きく屈曲される第１の柔軟部３１と第４の柔軟部３４とには、ヘリカル線２８による連結が解除されたコイル部２４の間にそれぞれ第１の緩衝シート４６と第２の緩衝シート４７を設けるようにした。
【００６３】
そのため、マットレス装置２１を屈曲したり、屈曲された状態から元に戻す場合などに、連結が解除されたコイル部２４が直接ぶつかり合って騒音を発生するのが防止される。
【００６４】
上記一実施の形態では、第１の柔軟部３１と第４の柔軟部３４とだけに緩衝シート４６，４７を設けたが、他の柔軟部にも緩衝シートを設けてもよいこと勿論である。
【００６５】
さらに、スプリングユニット２２の下面に設けられる下部クッション材５１ａ〜５１ｅを、第１乃至第４の柔軟部３１〜３４に対応する個所で分断した。そのため、マットレス装置２１を屈曲させる場合、下部クッション材５１ａ〜５１ｅが屈曲の抵抗になることがない。
【００６６】
しかも、マットレス装置２１の外装体５５は伸縮性を有する布地によって形成されているから、この外装体５５もマットレス装置２１を屈曲させる際の抵抗になることがほとんどない。
【００６７】
したがって、これらのことによりマットレス装置２１を軽い力で円滑に屈曲させることが可能となる。
【００６８】
なお、この発明は上記一実施の形態に限定されるものでなく、たとえば起床式ベッドの種類によってはスプリングユニットの上面側に設けられる第４の柔軟部はなくてもよく、また下面に形成される柔軟部の数や位置も限定されるものでない。
【００６９】
また、スプリングユニットは連続ばね体によって形成されている場合について説明したが、連続ばね体に代わり、スプリング部としてのコイルスプリングを行列状に配置して形成するようにしてもよい。
【００７０】
【発明の効果】
以上のようにこの発明によれば、ヘリカル線による連結が除去されたスプリング部がばらつくのを下部枠線によって防止でき、さらに下部枠線が柔軟部に対応して分断され、上部枠線は下部枠線に対応して分断されているから、上下の枠線がスプリングユニットの柔軟性を損なうことなく、このスプリングユニットの周辺部を補強することができる。
【図面の簡単な説明】
【図１】この発明の一実施の形態に係るマットレス装置の一部断面した側面図。
【図２】スプリングユニットの下面図。
【図３】スプリングユニットの上面図。
【図４】下部クッション材が取付けられたスプリングユニットの側面図。
【図５】スプリングユニットの第４の柔軟部の部分の連続ばね体を示す斜視図。
【図６】スプリングユニットの第２の上部枠線が設けられた部分の連続ばね体を示す斜視図。
【図７】起床式ベッドの側面図。
【符号の説明】
２２…スプリングユニット
２３…連続ばね体
２４…コイル部（スプリング）
２８…ヘリカル線
３１〜３４…柔軟部
３６〜４０…下部枠線
４１〜４４…上部枠線
４６…第１の緩衝シート
５１ａ〜５１ｅ…下部クッション材
５４…上部クッション材
５５…外装体
【図１】
0004856828.tif 000002
【図２】
0004856828.tif 000003
【図３】
0004856828.tif 000004
【図４】
0004856828.tif 000005
【図５】
0004856828.tif 000006
【図６】
0004856828.tif 000007
【図７】
0004856828.tif 000008